(57)【要約】      （修正有）【課題】  秀れたワークＷの位置決め機能を有するうえに、量産性やコスト面においても秀れた画期的な位置決め金具を提供する。【解決手段】板材を略Ｌ字形に折曲し、固定部１と、立状部２とを一体成形して金具本体Ａを構成し、立状部２の先端側に傾斜案内部３を形成し、この金具本体Ａを複数固定した取付面ａに上方からワークＷを載置する際、複数の立状部２により架設状態に位置決め保持し得るように構成すると共に、固定部１から立状部２が鉛直上方向よりもこの立状部２の当接面と反対側にやや傾いた方向に立直した形状とし、取付面ａ上に複数の立状部２により架設状態に位置決め保持したワークＷを僅かに上方移動することで、各立状部２の当接面によるワークＷの外縁部への当接支持状態が解除されるように構成した。【選択図】図１
0003114644.tif 000002
【実用新案登録請求の範囲】
【請求項１】
取付面に複数固定し、ワークの外縁部を支持してこのワークを前記取付面上に位置決め保持する位置決め金具であって、板材を略字形に折曲し、前記取付面に固定する板状の固定部と、この固定部から上方に突出する板状の立状部とを一体成形して金具本体を構成し、この金具本体は、前記立状部の一方の板面を前記ワークと当接する当接面とすると共に前記立状部の先端側をこの当接面と反対側に折曲して立状部の先端側に傾斜案内部を形成し、この金具本体を複数固定した取付面に上方からワークを載置する際、各金具本体の立状部の当接面が前記ワークの外縁部を当接状態に支持してこのワークを取付面上に複数の立状部により架設状態に位置決め保持し得るように構成すると共に、この金具本体は、前記固定部から立状部が鉛直上方向に立直した形状とせず、前記固定部から立状部が鉛直上方向よりもこの立状部の当接面と反対側にやや傾いた方向に立直した形状とし、前記取付面上に複数の立状部により架設状態に位置決め保持したワークを僅かに上方移動することで、各立状部の当接面によるワークの外縁部への当接支持状態が解除されるように構成したことを特徴とする位置決め金具。
【請求項２】
前記金具本体は、前記立状部の幅方向両端部に対して中央部が当接面側に突出するようにこの立状部を湾曲して、この立状部の当接面を幅方向に湾曲した形状に形成したことを特徴とする請求項１記載の位置決め金具。
【請求項３】
前記金具本体は、前記立状部の鉛直方向に対する傾斜角度を１°〜９°に設定すると共に、この立状部の先端側に設けた前記傾斜案内部は、前記立状部の鉛直方向に対する傾斜角度よりも大きい傾斜角度に設定したことを特徴とする請求項１，２のいずれか１項に記載の位置決め金具。
【請求項４】
前記金具本体の固定部は、この固定部に取付孔を設け、この取付孔に挿通する固定具から成る固定手段により、この板状の固定部を取付面に沿設状態に固定する構成としたことを特徴とする請求項１〜３のいずれか１項に記載の位置決め金具。
【請求項５】
前記金具本体の固定部に設けた取付孔は、前記立状部の当接面とワークとの当接方向に沿った長孔状に形成して、この固定部の取付孔と、取付面に設けた挿通孔とを合わせて固定具を挿通した状態で、固定部の位置を前記取付孔の長さ方向に移動調整することで前記立状部の当接面を進退移動調整可能に構成したことを特徴とする請求項４記載の位置決め金具。
【請求項６】
前記固定手段は、前記固定部の取付孔と、前記取付面の挿通孔とを合わせて前記固定具としての挿通ボルトを挿通すると共に、この挿通ボルトにナットを螺着してこの固定部を取付面に締め付け固定する構成としたことを特徴とする請求項４，５のいずれか１項に記載の位置決め金具。
【考案の詳細な説明】
【技術分野】
【０００１】
本考案は、取付面に複数固定し、ワークの外縁部を支持してこのワークを前記取付面上に位置決め保持する位置決め金具に関するものである。
【背景技術】
【０００２】
例えば、プレスマシンは、ワーク搬送手段によってこのプレスマシンの作業台にワークをセットしたうえで、このワークにプレス加工を行うものである。
【０００３】
このプレスマシンにワークを搬送するワーク搬送手段は、例えば、ワークを上方から吸着可能な搬送用アームを備え、この搬送用アームによりワークを吸着し、吸着したワークを移送し、このワークを搬送用アームから脱着し、ワークの搬送を行うものである。
【０００４】
ところで、このように搬送用アームによってプレスマシンの作業台にワークをセットしてプレス加工を施す場合、この作業台の適切な位置に適切な向きでワークを載置したうえでこのワークをプレスする必要がある為、仮にワークが作業台の適切な位置に適切な向きで載置されていなかった場合、即ち、ワークが作業台に正しくセットされていなかった場合、ワークに対してズレた位置をプレスしてしまい、よって、このワークの位置ズレが加工不良の原因となってしまう。
【０００５】
従って、搬送用アームによってプレスマシンにワークを搬送し作業台にワークをセットする際、ワークを作業台の正しい位置にセットできるように様々な対策が実施されているが、例えば、作業台自体に、この作業台上に載置したワークの位置を調整する調整機能を設けたり、また例えば、搬送用アームにワークの載置位置を微調整できるアーム制御機能を設けたりした場合、非常に高コストとなってしまう。
【０００６】
そこで、低コストにして作業際にワークを正しくセットし得るように、従来から、例えば、図６及び図７に図示したように、取付面ａに棒状の金具本体Ａを立設状態に固定し、この金具本体ＡによってワークＷの外縁部を当接状態に支持する位置決め金具が提案されている。
【０００７】
このような位置決め金具は、取付面に複数固定するものであって、ワークの外縁形状に合わせて、このワークの外縁部を取り囲むように囲い状に複数の位置決め金具を立設配設することによって、この取付面に上方からワークを載置した際に、このワークの外縁部を、囲い状に複数配設した位置決め金具により当接状態に支持して、このワークを取付面上に架設状態に位置決め保持するものであり、例えば、ワークをプレスマシンに搬送する際、この位置決め金具を複数固定したワーク仮置き場、所謂、中間テーブルを経由してワークの搬送を行うことで、ワークをプレスマシンの作業台に正しくセット（適切な位置に適切な向きで載置）することができ、よって、ワークの位置ズレによる加工不良を阻止して良好にプレス加工が行えるようにするものである。即ち、ワークをプレスマシンに搬送する際、搬送用アームに吸着したワークを作業台に移送する前に、先ず、この搬送用アームに吸着したワークを中間テーブルに搬送してこの中間テーブルの位置決め金具に位置決め保持させ、その後、この位置決め保持されたワークを再び搬送用アームにより吸着することにより、搬送用アームに対して適切な位置に適切な向きでワークを吸着させることができ、よって、この搬送用アームからワークを脱着し作業台に載置した際に、適切な位置に適切な向きでワークを載置できるものである。
【考案の開示】
【考案が解決しようとする課題】
【０００８】
ところで、この従来の位置決め金具は、例えば、金具本体Ａが、図６に図示したように、取付面ａに固定する固定部１に、単に棒状の立状部２を立設状態に設けた構成とした場合、この単に棒状の複数の立状部２間にワークＷを架設状態に位置決め保持させる作業が非常に厄介である。即ち、図６に図示したような単に棒状の立状部２は、先端が先鋭な形状に形成されてはいるものの、取付面ａに上方から載置されたワークＷをこの複数の立状部２間に誘い込むのには不十分である為、上方からワークＷを載置してこの複数の立状部２間にワークＷを架設状態に位置決め保持させるには、ワークＷをこの複数の立状部２の間の位置に上方から正確に載置しなければならない。よって、仮にワークＷがズレた位置から載置されると、この複数の立状部２の間にワークＷが上手く入り込まず、場合によってはワークＷがこの立状部２の間ではなく立状部２の上に載ってしまうことすらあるなど、ワークＷを取付面ａに位置決め保持状態に載置する為にはワークＷをかなり正確な位置から載置することが必要で、それだけこのワークＷを取付面ａ上に位置決め保持させる作業が厄介で作業効率が悪いという問題を有する。
【０００９】
そこで、図７に図示したように、金具本体Ａの立状部２の先端側に傾斜案内部３を設けた構成の位置決め金具が提案されている。このように立状部２の先端側に傾斜案内部３を設けた場合には、ワークＷが多少ズレた位置から取付面ａに載置されたとしても、このワークＷを立状部２の先端側に設けた傾斜案内部３によって傾斜下方側に案内し、このワークＷを複数の立状部２の間に誘い込んで複数の立状部２に良好に架設状態に保持させることができる。即ち、立状部２の先端側に傾斜案内部３を設けたことで、ワークＷをかなり正確な位置から載置する必要がなくなり、ある程度ズレた位置からワークＷを取付面ａに載置したとしても傾斜案内部３によって複数の立状部２の間にワークＷを誘い込み良好に位置決め保持できるから、取付面ａ上にワークＷを位置決め保持する作業を簡単且つスムーズに行えるものである。
【００１０】
しかしながら、図６及び図７に図示したいずれの従来の位置決め金具においても、固定部に対して立状部を、例えば溶接などの接合手段によって接合して金具本体を形成した構成で、このように金具本体を多部材で構成している為それだけ各部材を夫々別の工程で形成する余分な手間を要し、また、この多部材を接合する為に例えば溶接などの面倒な作業工程を要するなど、非常に生産性が悪く量産性やコスト面に問題を有する。
【００１１】
しかも、この図６及び図７に図示したいずれの従来の位置決め金具においても、金具本体の立状部が鉛直上方向に立直した形状である。その為、複数の立状部の間にワークを入り込ませて架設状態に位置決め保持させるには、このワークを複数の立状部の間に、上方から少し圧入して入り込ませる必要があり、よって、反対にこの複数の立状部により位置決め保持したワークを持ち上げてこの複数の立状部の間から上方に抜き出す際には、立状部のワークとの圧接当接による接触抵抗を受けながらワークを引き出さなければならない。従って、ワークを複数の立状部の間に所定距離だけ入り込ませたとした場合、今度は立状部による接触抵抗を受けながらこの所定距離だけワークを上方に抜き出さなければならず、よって、スムーズな抜き出しができずそれだけ作業効率が悪いという問題を有する。
【００１２】
また、従来の位置決め金具は、このワークを複数の立状部の間に入り込ませることができると共にこのワークを丁度架設状態に保持できるように、ワークの形状に合わせて各金具本体の取付面への取り付け位置を正確に設定しなければならずこの金具本体の固定位置の設定が非常に厄介である。
【００１３】
本考案は、上記の問題点に鑑みて完成した従来に無い画期的な位置決め金具であって、ワークを取付面上に良好に架設状態に位置決め保持できることは勿論、傾斜案内部によってワークをスムーズに位置決め保持でき、更に位置決め保持したワークを、位置決め保持状態から簡単に解除してスムーズに持ち上げるといったこともでき、しかもこのような秀れた機能を量産性やコスト面に秀れた簡易な構成によって達成した極めて実用性に秀れた位置決め金具を提供するものである。
【００１４】
また、例えば、金具本体の取付面への固定位置を簡単に微調整でき、取付面への金具本体の固定位置の設定を簡単に行うことができる極めて簡便な機能を有する実用性に秀れた位置決め金具を提供するものである。
【課題を解決するための手段】
【００１５】
添付図面を参照して本考案の要旨を説明する。
【００１６】
取付面ａに複数固定し、ワークＷの外縁部を支持してこのワークＷを前記取付面ａ上に位置決め保持する位置決め金具であって、板材を略Ｌ字形に折曲し、前記取付面ａに固定する板状の固定部１と、この固定部１から上方に突出する板状の立状部２とを一体成形して金具本体Ａを構成し、この金具本体Ａは、前記立状部２の一方の板面を前記ワークＷと当接する当接面２ａとすると共に前記立状部２の先端側をこの当接面２ａと反対側に折曲して立状部２の先端側に傾斜案内部３を形成し、この金具本体Ａを複数固定した取付面ａに上方からワークＷを載置する際、各金具本体Ａの立状部２の当接面２ａが前記ワークＷの外縁部を当接状態に支持してこのワークＷを取付面ａ上に複数の立状部２により架設状態に位置決め保持し得るように構成すると共に、この金具本体Ａは、前記固定部１から立状部２が鉛直上方向に立直した形状とせず、前記固定部１から立状部２が鉛直上方向よりもこの立状部２の当接面２ａと反対側にやや傾いた方向に立直した形状とし、前記取付面ａ上に複数の立状部２により架設状態に位置決め保持したワークＷを僅かに上方移動することで、各立状部２の当接面２ａによるワークＷの外縁部への当接支持状態が解除されるように構成したことを特徴とする位置決め金具に係るものである。
【００１７】
また、前記金具本体Ａは、前記立状部２の幅方向両端部に対して中央部が当接面２ａ側に突出するようにこの立状部２を湾曲して、この立状部２の当接面２ａを幅方向に湾曲した形状に形成したことを特徴とする請求項１記載の位置決め金具に係るものである。
【００１８】
また、前記金具本体Ａは、前記立状部２の鉛直方向に対する傾斜角度を１°〜９°に設定すると共に、この立状部２の先端側に設けた前記傾斜案内部３は、前記立状部２の鉛直方向に対する傾斜角度よりも大きい傾斜角度に設定したことを特徴とする請求項１，２のいずれか１項に記載の位置決め金具に係るものである。
【００１９】
また、前記金具本体Ａの固定部１は、この固定部１に取付孔１ａを設け、この取付孔１ａに挿通する固定具５ａから成る固定手段５により、この板状の固定部１を取付面ａに沿設状態に固定する構成としたことを特徴とする請求項１〜３のいずれか１項に記載の位置決め金具に係るものである。
【００２０】
また、前記金具本体Ａの固定部１に設けた取付孔１ａは、前記立状部２の当接面２ａとワークＷとの当接方向に沿った長孔状に形成して、この固定部１の取付孔１ａと、取付面ａに設けた挿通孔４とを合わせて固定具５ａを挿通した状態で、固定部１の位置を前記取付孔１ａの長さ方向に移動調整することで前記立状部２の当接面２ａを進退移動調整可能に構成したことを特徴とする請求項４記載の位置決め金具に係るものである。
【００２１】
また、前記固定手段５は、前記固定部１の取付孔１ａと、前記取付面ａの挿通孔４とを合わせて前記固定具５ａとしての挿通ボルト５ａを挿通すると共に、この挿通ボルト５ａにナット６を螺着してこの固定部１を取付面ａに締め付け固定する構成としたことを特徴とする請求項４，５のいずれか１項に記載の位置決め金具に係るものである。
【考案の効果】
【００２２】
本考案は上述のように構成したから、金具本体を取付面に安定的に固定し、この金具本体を複数固定した取付面上にワークを架設状態に良好に位置決め保持できることは勿論、この各金具本体の立状部の先端側に夫々傾斜案内部を設けたことで、ワークを正確な位置からこの取付面に載置しなくとも、即ち、多少ズレた位置からワークを載置したとしても前記傾斜案内部によりワークを複数の立状部の間に誘い込みこの立状部により位置決め保持できるから、ワークを載置する方向に正確性が不要で、それだけ簡単に、且つ、スムーズにワークを位置決め保持させることができ作業性に秀れる。
【００２３】
しかも、この立状部は鉛直上方向よりもこの立状部の当接面と反対側にやや傾斜した方向に立直した形状としたことで、複数の立状部に位置決め保持したワークを少し持ち上げるだけでワークに対して各立状部の当接支持状態を解除して、ワークの位置決め保持状態を簡単に解除できるから、取付面上にワークをスムーズに位置決め保持させられるだけでなく、反対にこの取付面上に位置決め保持したワークを位置決め保持解除してこの取付面上から持ち上げることもスムーズに行うことができる。
【００２４】
よって、本考案は、ワークの位置決め保持及び位置決め保持解除を極めてスムーズに行うことができる秀れたワーク位置決め保持機能を有するうえに、金具本体は単に板材を折曲して成形した一体成形品にして簡易構成可能な構成であるが故に、量産性やコスト面にも秀れるなど、極めて実用性に秀れた画期的な位置決め金具となり、例えば、プレスマシンにワークを搬送する際にこのワークを経由させる中間テーブルに固定する位置決め金具としての極めて高い実用価値を有するものとなる。
【００２５】
また、請求項２，３記載の考案においては、本考案の秀れた位置決め保持機能を一層良好に発揮できる一層実用性に秀れたものとなる。
【００２６】
また、請求項４〜６記載の考案においては、板状の固定部を取付面に沿設状態に安定的に取り付け固定できることは勿論、この固定部の取付孔に例えばボルトやネジ，クギなどの固定具を挿通して固定する固定手段により、取付面の所定位置に固定部を簡単に取り付け固定できる。また、例えば、固定部に設けた取付孔を長孔状に形成して、この固定部の長孔状の取付孔と取付面の挿通孔に固定具を挿通した状態で固定部を移動調整することにより前記立状部の当接面を進退移動調整でき、よって、ワークの形状に合わせて金具本体の固定位置を微調整でき金具本体の固定位置の設定を極めて簡単に、精度良く行うことができるなど、一層簡便で実用性に秀れたものとなる。
【考案を実施するための最良の形態】
【００２７】
好適と考える本考案の実施形態（考案をどのように実施するか）を、図面に基づいて本考案の作用を示して簡単に説明する。
【００２８】
板材を略Ｌ字形に折曲し、前記取付面ａに固定する板状の固定部１と、この固定部１から上方に突出する板状の立状部２とを一体成形して構成した金具本体Ａを、取付面ａに複数固定し、この取付面ａ上にワークＷを載置する際、各金具本体Ａの立状部２の一方の板面である当接面２ａがワークＷの外縁部を当接状態に支持する。
【００２９】
従って、この金具本体Ａを固定した取付面ａ上にワークＷを上方から載置した際、このワークＷの外縁部を複数の金具本体Ａの各立状部２の当接面２ａにより当接状態に支持して、この取付面ａ上にワークＷを複数の立状部２により架設状態に位置決め保持できることとなる。
【００３０】
また、金具本体Ａの立状部２の先端側をこの立状部２の当接面２ａと反対側に折曲し、この立状部２の先端側に傾斜案内部３を形成している為、この取付面ａ上にワークＷを載置する際に、仮にワークＷが正確な位置から（位置決め保持したい位置の真上から）ではなくズレた位置から載置されたとしても、立状部２の先端部に形成した傾斜案内部３がワークＷの外縁部に当接することでこのワークＷを複数の立状部２の間に誘い込むことができ、よって、この立状部２の先端側の傾斜案内部３により、正確な位置からではなく多少ズレた位置から載置されたワークＷも複数の立状部２の間に誘い込んで良好に位置決め保持できることとなる。
【００３１】
しかも、この金具本体Ａは、前記固定部１から立状部２が鉛直上方向に立直した形状とせず、前記固定部１から立状部２が鉛直上方向よりもこの立状部２の当接面２ａと反対側にやや傾いた方向に立直した形状とし、前記取付面ａ上に複数の立状部２により架設状態に位置決め保持したワークＷを僅かに上方移動することで、各立状部２の当接面２ａによるワークＷの外縁部への当接支持状態が解除されるように構成したから、複数の金具本体Ａによって位置決め保持されたワークＷを少し持ち上げるだけで簡単にこのワークＷを位置決め保持状態から解除することができる。即ち、単に立状部２が鉛直上方向に立直した形状だった場合には、ワークＷを仮に複数の立状部２の間に所定距離だけ上方から入り込ませた場合、このワークＷを複数の立状部２から抜き上げる際にはこの所定距離だけ立状部２から接触抵抗を受けながらワークＷを抜き上げなければならずスムーズにワークＷを抜き上げできないが、これに対して本考案のように立状部２がやや傾斜した形状の場合には、少しワークＷを持ち上げるだけで立状部２との接触抵抗が略無くなり非常にスムーズにワークＷをこの複数の立状部２の間から抜き上げることができる。
【００３２】
また、板状の固定部１を取付面ａに沿設状態に固定できるからこの金具本体Ａを安定的に取付面ａに固定することも可能となる。
【００３３】
また、この金具本体Ａは、単に板材を略Ｌ字形に折曲して成形した簡易な構成とし、更に、この立状部２の先端側に設けた傾斜案内部３も立状部２の先端を折曲して形成したものであり、この立状部２自体の、鉛直方向よりもやや傾いた方向に立直した形状したも、単に前記固定部１に対してこの立状部２の折曲度合いを調整するだけで達成し得るなど、この金具本体Ａは板材の折り曲げ工程によって簡単に成形できる構成とした為、量産性やコスト面に秀れることとなる。
【００３４】
従って、本考案は、金具本体Ａを取付面ａに安定的に固定でき、この金具本体Ａを複数固定した取付面ａ上にワークＷを架設状態に良好に位置決め保持できることは勿論、この各金具本体Ａの立状部２の先端側に夫々傾斜案内部３を設けたことで、この立状部２に前記ワークＷを簡単に、且つ、スムーズに架設状態に位置決め保持させることができ、しかも、この立状部２は鉛直上方向よりもこの立状部２の当接面２ａと反対側にやや傾斜した方向に立直した形状としたことで、複数の立状部２に位置決め保持したワークＷを少し持ち上げるだけで位置決め保持状態を解除してスムーズにこのワークＷを持ち上げることもでき、よって、取付面ａ上にワークＷを位置決め保持させることだけでなく、この取付面ａ上に位置決め保持したワークＷを位置決め保持解除してこの取付面ａ上から持ち上げることもスムーズに行うことができるなど極めて秀れた位置決め保持機能を有していながら、単に板材を折曲して成形した簡易構成にして量産性やコスト面にも秀れることとなり、例えば、プレスマシンにワークＷを搬送する際にこのワークＷを経由させる中間テーブルに固定する位置決め金具としての極めて高い実用価値を有する位置決め金具となる。
【００３５】
また、例えば、前記金具本体Ａは、前記立状部２の幅方向両端部に対して中央部が当接面２ａ側に突出するようにこの立状部２を湾曲して、この立状部２の当接面２ａを幅方向に湾曲した形状に形成した場合は、ワークＷの外縁部に対して当接面２ａが平面的に当接するのではなく曲面的に当接するように当接面２ａが幅方向に湾曲した形状としたから、ワークＷに対する当接面２ａの当接範囲がそれだけ狭まり、よって、それだけ複数の立状部２によって架設状態に位置決め保持したワークＷを持ち上げる際に立状部２の当接面２ａのワークＷに対する接触抵抗が少なく、一層スムーズに位置決め保持状態のワークＷを簡単に位置決め保持解除して持ち上げることができることとなるうえに、単に立状部２を湾曲して簡単に当接面２ａを曲面にできるからコストアップの心配もない。
【００３６】
また、例えば、前記金具本体Ａは、前記立状部２の鉛直方向に対する傾斜角度を１°〜９°に設定すると共に、この立状部２の先端側に設けた前記傾斜案内部３は、前記立状部２の鉛直方向に対する傾斜角度よりも大きい傾斜角度に設定した場合には、立状部２は殆ど傾斜しておらず鉛直上方向に近い略垂直に立直した形状とすることで、従来の位置決め金具の立状部と同様に、ワークＷを確実に位置決め状態に保持できる（即ち、この立状部２が極端に倒れた形状の場合、複数の立状部２の間に架設状態のワークＷが、簡単にガタついたり位置ズレたりしてしまう。）。それでいてこの立状部２の先端側の傾斜案内部３は、ズレた上方位置から載置されたワークＷを良好に位置決め保持したい位置に誘い込めるように十分倒れた傾斜角度に設定することで、それだけ大きくズレた位置から載置されたワークＷも良好に誘い込むことができるなど本考案の作用効果を一層確実に発揮できることとなる。
【００３７】
また、例えば、前記金具本体Ａの固定部１は、この固定部１に取付孔１ａを設け、この取付孔１ａに挿通する固定具５ａから成る固定手段５により、この板状の固定部１を取付面ａに沿設状態に固定する構成とした場合には、板状の固定部１を取付面ａに沿設状態に固定することで安定的に固定できることとなる。
【００３８】
しかも、例えば、前記金具本体Ａの固定部１に設けた取付孔１ａは、前記立状部２の当接面２ａとワークＷとの当接方向に沿った長孔状に形成して、この固定部１の取付孔１ａと、取付面ａの挿通孔４とを合わせて固定具５ａを挿通した状態で、固定部１の位置を前記取付孔１ａの長さ方向に移動調整することで前記立状部２の当接面２ａを進退移動調整可能に形成した場合には、金具本体Ａを固定したい位置に挿通孔４を設けるだけで簡単且つ強固に固定部１を固定できるので、取付面ａの所望の位置に簡単に金具本体Ａを固定できることとなるうえに、位置決め保持したいワークＷの形状に合わせて金具本体Ａの固定位置を微調整するといったことも簡単な作業で達成し得ることとなる為、取付面ａに設ける挿通孔４の位置をそれほど精度良く設定しなくとも、金具本体Ａの位置を微調整してこの金具本体Ａの固定位置をワークＷの形状に合わせた適切な位置に精度良く位置設定することも簡易に達成可能となる。
【００３９】
また、前記固定手段５は、例えば前記固定部１の取付孔１ａと、前記取付面ａの挿通孔４とを合わせて前記固定具５ａとしての挿通ボルト５ａを挿通すると共に、この挿通ボルト５ａにナット６を螺着してこの固定部１を取付面ａに締め付け固定する構成とすれば、固定部１を挿通ボルト５ａとナット６の締め付けにより簡単且つ強固に取付面ａに固定でき、また、取付面ａに固定した固定部１の取り外しも挿通ボルト５ａとナット６の螺動操作で簡単に行え、取付面ａに金具本体Ａの取り付け作業や取り替え作業を簡便に行えることとなる。
【実施例】
【００４０】
本考案の具体的な実施例について図面に基づいて説明する。
【００４１】
本実施例は、取付面ａに複数固定し、ワークＷの外縁部を支持してこのワークＷを前記取付面ａ上に位置決め保持する位置決め金具であって、具体的には、図１〜５に図示したように、板材を略Ｌ字形に折曲し、前記取付面ａに固定する板状の固定部１と、この固定部１から上方に突出する板状の立状部２とを一体成形して金具本体Ａを構成し、この金具本体Ａは、前記立状部２の一方の板面を前記ワークＷと当接する当接面２ａとすると共に前記立状部２の先端側をこの当接面２ａと反対側に折曲して立状部２の先端側に傾斜案内部３を形成し、この金具本体Ａを複数固定した取付面ａに上方からワークＷを載置する際、各金具本体Ａの立状部２の当接面２ａが前記ワークＷの外縁部を当接状態に支持してこのワークＷを取付面ａ上に複数の立状部２により架設状態に位置決め保持し得るように構成すると共に、この金具本体Ａは、前記固定部１から立状部２が鉛直上方向に立直した形状とせず、前記固定部１から立状部２が鉛直上方向よりもこの立状部２の当接面２ａと反対側にやや傾いた方向に立直した形状とし、前記取付面ａ上に複数の立状部２により架設状態に位置決め保持したワークＷを僅かに上方移動することで、各立状部２の当接面２ａによるワークＷの外縁部への当接支持状態が解除されるように構成したものである。
【００４２】
この取付面ａに複数固定する金具本体Ａは、具体的には、図１に図示したように、位置決め保持したいワークＷの外縁形状に合わせて、このワークＷの外縁部を取り囲むように囲い状に取付面ａ上に複数配設して固定したものである（例えば、本実施例では、図１に図示したように取付面ａ上に６体の金具本体Ａを設け、この各金具本体Ａの立状部２の当接面２ａでワークＷの外縁部の６箇所を当接状態に支持してこのワークＷを取付面ａ上に位置決め保持し得るように構成している。）。
【００４３】
この金具本体Ａは、図２及び図３に図示したように、前記立状部２の幅方向両端部に対して中央部が当接面２ａ側に突出するようにこの立状部２を湾曲して、この立状部２の当接面２ａを幅方向に湾曲した形状に形成している。
【００４４】
従って、図３に図示したように、ワークＷに対して立状部２の当接面２ａが平面的に当接するのではなく、曲面的に当接し、この当接面２ａとワークＷの外縁部との当接接触面積がそれだけ狭くなり、この当接面２ａに当接支持して位置決め保持した状態のワークＷを上方に持ち上げる際に、このワークＷに負荷する当接面２ａとの接触抵抗がそれだけ小さく済み、よって、位置決め保持状態のワークＷを一層軽い力で簡単に持ち上げて位置決め保持状態から解除できる。
【００４５】
また、この金具本体Ａは、前記立状部２の鉛直方向に対する傾斜角度を１°〜９°に設定すると共に、この立状部２の先端側に設けた前記傾斜案内部３は、前記立状部２の鉛直方向に対する傾斜角度よりも大きい傾斜角度に設定している。
【００４６】
立状部２の鉛直方向に対する傾斜角度は、本実施例においては、約５°に設定した。
【００４７】
従って、複数の立状部２によって架設状態に位置決め保持したワークＷが簡単にガタついたり位置ズレしたりする極端に傾いた形状とせず、この複数の立状部２によりワークＷを側方から挟み込むようにして確実に位置決め保持できる（即ち、この立状部２が極端に倒れ傾斜した形状とした場合、ワークＷが側方に簡単にガタついたり位置ズレしたりしてしまい、位置決め機能が損なわれる。）。
【００４８】
また、この立状部２の先端側の傾斜案内部３は、図４及び図５に図示したように、ズレた上方位置から載置されたワークＷを良好に位置決め保持したい位置に誘い込めるようにこの傾斜案内部３の鉛直上方向に対する傾斜角度を約３０°〜４０°に設定している。即ち、この傾斜案内部３を十分に倒れた傾斜角度に設定することで傾斜案内部３が側方に向けて広がった形状となるので、それだけズレの大きいワークＷも良好に複数の立状部２の間に誘い込めることとなるが、一方で、この傾斜案内部３を、あまり倒れ過ぎた傾斜角度に設定すると傾斜案内部３自体の水平方向に対する傾斜角度が小さくなってしまいこの傾斜案内部３に当接したワークＷを傾斜下方側にスムーズに案内できなくなってしまう為、これらを考慮したうえで、本実施例においては、この傾斜案内部３の鉛直上方向に対する傾斜角度を約３５°に設定したものである。尚、この傾斜案内部３の傾斜角度は、本実施例のものに限らず、適宜設定し得るものである。
【００４９】
尚、立状部２の傾斜角度は、単に固定部１に対する立状部２の折曲度合いを調整することで簡単に調整可能であり、傾斜案内部３の傾斜角度も、この立状部２に対する傾斜案内部３の折曲度合いを調整することで簡単に調整可能であり、この立状部２及び傾斜案内部３の傾斜角度は本実施例のものに限らず、ワークＷの形状や使用状況に合わせ、本実施例と同様の作用効果を発揮し得る傾斜角度に適宜設定すれば良い。
【００５０】
また、この金具本体Ａの固定部１は、図１に図示したように、この固定部１に設けた取付孔１ａと、前記取付面ａに設けた挿通孔４とを合わせて固定具５ａを挿通すると共に、この固定具５ａを固定手段５により挿通状態に固定することで、この板状の固定部１を取付面ａに沿設状態に固定する構成である。
【００５１】
従って、取付面ａに挿通孔４を設けるだけで簡単に固定部１を沿設状態に固定でき、取付面ａの所望の位置に金具本体Ａを簡単に、且つ、安定的に固定できる。
【００５２】
尚、本実施例のものに限らず、この金具本体Ａは、取付面ａにどのようにして固定しても良く、例えば、取付面ａに挿通孔４を設けずとも、金具本体Ａを取付面ａ上の所望の位置に置いて、この金具本体Ａの固定部１の取付面１ａからこの固定部１を取付面ａにクギ止めするなどしても良い。
【００５３】
また、この固定部１に設けた取付孔１ａは、図２に図示したように、前記立状部２の当接面２ａとワークＷとの当接方向に沿った長孔状に形成している。
【００５４】
従って、この固定部１の取付孔１ａと、取付面ａの挿通孔４とを合わせて固定具５ａを挿通した状態で、固定部１の位置を前記取付孔１ａの長さ方向に移動調整できる。よって、取付面ａの挿通孔４に対して、固定した金具本体Ａの位置を微調整でき、固定した前記立状部２の当接面２ａを進退移動調整することで、ワークＷの形状に合った適切な位置に簡単に金具本体Ａの固定位置を設定できる。
【００５５】
また、前記固定手段５は、前記固定部１の取付孔１ａと、前記取付面ａの挿通孔４とを合わせて前記固定具５ａとしての挿通ボルト５ａを挿通すると共に、この挿通ボルト５ａにナット６を螺着してこの固定部１を取付面ａに締め付け固定する構成としたから、この挿通ボルト５ａやナット６を螺動操作して、金具本体Ａの取り付けを簡単に行え、また、取り外しや取り替え作業も簡便に行える。尚、この固定具５ａは、本実施例のものに限らず、例えば、ビスや蝶ネジなどを採用しても良い。
【００５６】
また、図２に図示したように、この金具本体Ａは固定部１及び立状部２を有する略Ｌ字形に板材（本実施例においては、金属製板材）を折曲して一体成形し、この立状部２の先端の傾斜案内部３も立状部２を折曲して形成した構成とするなど、単に金属製板材を折曲したり孔（取付孔１ａ）を開けたりして簡単に成形できる一体成形品としたので、生産性に秀れた構成である。
【００５７】
本実施例は、上述のように構成したから、金具本体Ａを固定した取付面ａ上にワークＷを上方から載置した際、このワークＷの外縁部を複数の金具本体Ａの各立状部２の当接面２ａにより当接状態に支持して、この取付面ａ上にワークＷを複数の立状部２により架設状態に位置決め保持できる。
【００５８】
また、この金具本体Ａの立状部２の先端側に傾斜案内部３を形成している為、この取付面ａ上にワークＷを載置する際に、仮にワークＷが位置決め保持したい位置の真上からではなくズレた位置から載置されたとしても、図４及び図５に図示したように、立状部２の先端部に形成した傾斜案内部３がワークＷの外縁部に当接し、このワークＷを位置決め保持したい適切な位置に案内してワークＷを確実に位置決めしたい位置に位置決め保持できる。
【００５９】
しかも、この金具本体Ａは、固定部１から立状部２が鉛直上方向よりもこの立状部２の当接面２ａと反対側にやや傾いた方向に立直した形状とし、前記取付面ａ上に複数の立状部２により架設状態に位置決め保持したワークＷを僅かに上方移動することで、各立状部２の当接面２ａによるワークＷの外縁部への当接支持状態が解除されるように構成したから、複数の金具本体Ａによって位置決め保持されたワークＷを少し持ち上げるだけで位置決め保持状態を簡単に解除でき、取付面ａ上に位置決め保持したワークＷを持ち上げてこの取付面ａ上から退避させるといったことも簡単に行える。
【００６０】
従って、例えば、本実施例に係る位置決め金具を、従来例に記載したワークＷをプレスマシンに搬送する際に経由する中間テーブルＴに固定する位置決め金具として採用した場合には、ワークＷを搬送用アーム７で吸着してプレスマシンの作業台に搬送する際に、図１に図示したように、本実施例に係る位置決め金具が固定された中間テーブルＴにワークＷを上方から載置して複数の金具本体Ａにより中間テーブルＴの取付面ａ上に架設状態に位置決め保持させた後、再び搬送用アーム７により、位置決め保持されたワークＷを上方から吸着してプレスマシンの作業台に搬送することで、このワークＷを作業台に正しくセット（適切な位置に適切な向きで載置）することができることは勿論、例えば従来例のように、金具本体Ａに架設状態にワークＷを保持しようとしたところワークＷの下面が金具本体Ａの上端に当接した状態でこの金具本体Ａ上に載ってしまったり、金具本体Ａ間にワークＷが圧入状態に入り込んでしまい、このワークＷを上方に持ち上げる際に金具本体Ａとの接触抵抗により簡単にワークＷを持ち上げられなかったりといった問題を全て解決でき、この搬送用アーム７によりワークＷを取付面ａ上に載置して複数の金具本体Ａによって位置決め保持させたり、この複数の金具本体Ａによって位置決め保持されたワークＷを搬送用アーム７に吸着して上方に持ち上げたりといった作業を極めてスムーズに行うことができ、プレスマシンによるプレス工程における中間テーブルＴに固定して使用する位置決め金具としての極めて高い実用価値を有することとなる。
【００６１】
よって、本実施例は、金具本体Ａを取付面ａに安定的に固定でき、この金具本体Ａを複数固定した取付面ａ上にワークＷを架設状態に良好に位置決め保持できることは勿論、この各金具本体Ａの立状部２の先端側に夫々傾斜案内部３を設けたことで、この立状部２に前記ワークＷを簡単に、且つ、スムーズに架設状態に位置決め保持させることができ、しかも、この立状部２は鉛直上方向よりもこの立状部２の当接面２ａと反対側にやや傾斜した方向に立直した形状としたことで、複数の立状部２に位置決め保持したワークＷを少し持ち上げるだけで位置決め保持状態を解除してスムーズにこのワークＷを持ち上げることもでき、よって、取付面ａ上にワークＷを位置決め保持させることだけでなく、この取付面ａ上に位置決め保持したワークＷを位置決め保持解除してこの取付面ａ上から持ち上げることもスムーズに行うことができるなど極めて秀れた位置決め保持機能を有し、更に、取付面ａに、ボルト挿通孔４を形成するだけでこの取付面ａの金具本体Ａを固定したい位置に簡単に金具本体Ａを固定でき、この取付面ａに固定した金具本体Ａの固定位置を、位置決め保持したいワークＷの形状に合わせて簡単に微調整でき、立状部２や傾斜案内部３の傾斜角度もこの立状部２や傾斜案内部３の折曲度合いを調整することで簡単に調整できるなどの秀れた実用上の作用効果を発揮するうえに、これら秀れた位置決め機能を有する金具本体を単に板材を折曲して簡単に一体成形できる極めて生産性に秀れた構成としたから、量産性やコスト面にも極めて秀れるなど、画期的で実用性に秀れた位置決め金具となる。
【００６２】
尚、本考案は、本実施例に限られるものではなく、各構成要件の具体的構成は適宜設計し得るものである。
【図面の簡単な説明】
【００６３】
【図１】本実施例に係る位置決め金具の使用状態図である。
【図２】本実施例に係る位置決め金具の説明斜視図である。
【図３】本実施例に係る位置決め金具の説明平面図である。
【図４】本実施例に係る位置決め金具の説明側面図である。
【図５】本実施例に係る位置決め金具の説明側面図である。
【図６】従来例を示す説明正面図である。
【図７】従来例を示す説明正面図である。
【符号の説明】
【００６４】
１  固定部
１ａ  取付孔
２  立状部
２ａ  当接面
３  傾斜案内部
４  挿通孔
５  固定手段
５ａ  固定具，挿通ボルト
６  ナット
Ａ  金具本体
Ｗ  ワーク
ａ  取付面
【図１】
0003114644.tif 000003
【図２】
0003114644.tif 000004
【図３】
0003114644.tif 000005
【図４】
0003114644.tif 000006
【図５】
0003114644.tif 000007
【図６】
0003114644.tif 000008
【図７】
0003114644.tif 000009